(57)【特許請求の範囲】
【請求項１】
硬貨繰出部から硬貨を繰出し搬送する第１の搬送手段と、当該硬貨の金種を判定する金種判定手段と、硬貨を金種ごとに金種別金庫に集積する第２の搬送手段と、金種判定できない硬貨を格納するリジェクト庫とを有する硬貨処理装置において、
前記金種判定手段にて金種判定を行った硬貨の順番を記憶する記憶手段を有し、
前記金種判定時に第１の搬送手段にて搬送エラーが発生したときは、前記第２の搬送手段上の硬貨はそのまま搬送し金種別金庫に格納し、前記第１の搬送手段上の硬貨は一時収納庫に格納できるようにするとともに、
前記記憶手段に記憶した硬貨の順番と前記金種別金庫に収納された硬貨の順番とを照合し、一致した場合には、前記一時収納庫に格納された硬貨を再度計数処理することが必要であることを通知することを特徴とする硬貨処理装置。
【請求項２】
前記記憶手段に記憶した硬貨の順番と前記金種別金庫に収納された硬貨の順番とを照合し、一致しない場合には、前記一時収納庫および前記金種別金庫に格納された硬貨を再度計数処理することが必要であることを通知するようにしたことを特徴とする請求項１記載の硬貨処理装置。
【発明の詳細な説明】
【技術分野】
【０００１】
本発明は、硬貨現金を取り扱う硬貨処理装置に関するものである。
【背景技術】
【０００２】
従来、硬貨管理装置や現金自動預け払い機に搭載され硬貨現金を取り扱う硬貨処理装置では、投入された硬貨は、一旦、硬貨繰出部に格納され、その後、硬貨繰出部から繰出され搬送路により搬送され、当該搬送路上に設けた金種判定部によりその大きさを光学センサにて検出して金種を判定し金種ごとの金庫に収納するようにしている（例えば、特許文献１参照）。
【先行技術文献】
【特許文献】
【０００３】
【特許文献１】特開２００４−１９２４７７号公報
【発明の概要】
【発明が解決しようとする課題】
【０００４】
しかしながら、上記従来の硬貨処理装置では、硬貨の金種を判定するときに、搬送エラーが発生した場合は、判定済みの硬貨や判定中の硬貨を含めてすべて収納部から取り出し、硬貨の判定を最初からやり直さなければならず、復旧のために時間がかかり、またオペレータへの負担も大きかった。
【課題を解決するための手段】
【０００５】
本発明は、前述の課題を解決するため次の構成を採用する。すなわち、硬貨繰出部から硬貨を繰出し搬送する第１の搬送手段と、当該硬貨の金種を判定する金種判定手段と、硬貨を金種ごとに金種別金庫に集積する第２の搬送手段と、金種判定できない硬貨を格納するリジェクト庫とを有する硬貨処理装置において、前記金種判定手段にて金種判定を行った硬貨の順番を記憶する記憶手段を有し、前記金種判定時に第１の搬送手段にて搬送エラーが発生したときは、前記第２の搬送手段上の硬貨はそのまま搬送し金種別金庫に格納し、前記第１の搬送手段上の硬貨は一時収納庫に格納できるようにするとともに、前記記憶手段に記憶した硬貨の順番と前記金種別金庫に収納された硬貨の順番とを照合し、一致した場合には、前記一時収納庫に格納された硬貨を再度計数処理することが必要であることを通知するようにした。
【発明の効果】
【０００６】
本発明の硬貨処理装置によれば、硬貨繰出部から硬貨を繰出し搬送する第１の搬送手段と、当該硬貨の金種を判定する金種判定手段と、硬貨を金種ごとに金種別金庫に集積する第２の搬送手段と、金種判定できない硬貨を格納するリジェクト庫とを有する硬貨処理装置において、前記金種判定手段にて金種判定を行った硬貨の順番を記憶する記憶手段を有し、前記金種判定時に第１の搬送手段にて搬送エラーが発生したときは、前記第２の搬送手段上の硬貨はそのまま搬送し金種別金庫に格納し、前記第１の搬送手段上の硬貨は一時収納庫に格納できるようにするとともに、前記記憶手段に記憶した硬貨の順番と前記金種別金庫に収納された硬貨の順番とを照合し、一致した場合には、前記一時収納庫に格納された硬貨を再度計数処理することが必要であることを通知するようにしたので、復旧操作は一時収納庫に収納された硬貨を硬貨繰出部に入れる操作だけとなり、オペレータの操作を簡単にすることができる。
【図面の簡単な説明】
【０００７】
【図１】実施例１の硬貨処理装置の構成図である。
【図２】実施例１の硬貨処理装置の動作フローチャート図である。
【発明を実施するための形態】
【０００８】
以下、本発明に係わる実施の形態例を、図面を用いて説明する。図面に共通する要素には同一の符号を付す。
【実施例１】
【０００９】
（構成）
図１は、実施例１の硬貨処理装置の構成を示す図である。同図に示したように、実施例１の硬貨処理装置１は、硬貨を繰出して搬送しながら金種判定を行う第１の搬送手段としての繰出搬送路２と、判定された硬貨を搬送しながら金種別に収納する第２の搬送手段としての金種別集積搬送路３と、図示しない硬貨投入口から投入された硬貨を繰出す硬貨繰出部４と、硬貨の金種を判定する金種判定部５と、正常な硬貨と判定できなかったものを収納するリジェクト庫６と、正常な硬貨と判定されたものを金種別に集積する金種別金庫７と、硬貨繰出しから収納までの制御を行う制御部８から構成される。
【００１０】
そして、硬貨処理装置１を制御する硬貨管理装置や現金自動預払機の主制御部１０が、硬貨処理装置１の制御部８に接続された構成となっている。
【００１１】
（動作）
以上の構成により、実施例１の硬貨処理装置１は、以下のように動作する。この動作を図１の構成図および図２の動作フローチャート図を用いて以下説明する。
【００１２】
まず、硬貨管理装置や現金自動預払機の主制御部１０の制御により硬貨管理装置や現金自動預払機の表示器等に取引種別が表示され、オペレータが硬貨を入金する取引を選択し矢印Ａのように硬貨繰出部４に硬貨を投入すると（ステップＳ０１）、制御部８は、硬貨繰出部４の動作を開始し、繰出搬送路２を矢印Ｂ方向に搬送を開始し、金種別集積搬送路３を矢印Ｃ方向に搬送を開始し（ステップＳ０２）、硬貨の金種判定を順次行う（ステップＳ０３）。
【００１３】
なお、金種判定方法としては、硬貨が搬送路上に設けた光学センサを通過する時間を検出したり、ラインセンサ等により搬送幅方向の幅を検出したりするのが一般的である。
【００１４】
そして、制御部８は、金種判定の際、金種判定を終了し金種別集積搬送路３上を移動する硬貨の順番を金種情報として図示しないメモリ等に随時記憶する（ステップＳ０４）。
【００１５】
そして、金種判定の動作中に、繰出搬送路２にて所定の時間を経過しても硬貨が搬送されないなどの搬送エラーが発生した場合（ステップＳ０５）、硬貨繰出部４を停止するとともに繰出搬送路２の搬送を停止する（ステップＳ０６）。
【００１６】
このとき、搬送下流の金種別集積搬送路３は停止せずに、金種判定中の硬貨および判定済みの硬貨がすべて金種別金庫７に収納されたことを確認した後（ステップＳ０７）、搬送を停止する（ステップＳ０８）。なお、前記硬貨の収納の確認は、金種別集積搬送路３の搬送速度にて搬送にかかる所定の時間を基準とした経過時間を監視すればよい。
【００１７】
そして、エラー復旧動作として、繰出搬送路２にある硬貨をリジェクト庫６に収納する（ステップＳ０９）。なお、このエラー復旧動作としては、制御部８の制御により繰出搬送路２を振動させたり搬送を前後させたりして繰出搬送路２上の図示しないリジェクト口から落下させるようにすればよい。
【００１８】
そして、繰出搬送路２および金種別集積搬送路３を再び起動し、いずれの搬送路上にも硬貨がなくなったことを確認する（ステップＳ１０）。
【００１９】
そして、金種別金庫７の金種別に設けられた図示しない通過センサにより金種別金庫７に収納された硬貨の金種の順番を求め、搬送エラーが発生した際にステップＳ０４にて制御部８のメモリ等に記憶しておいた硬貨の金種の順番と照合し（ステップＳ１１）、一致していれば、金種別金庫７に正しく収納されたと判断して、ステップＳ０２に戻り、硬貨繰出部４からの繰出しを再開する。
【００２０】
このとき、ステップＳ０９にてリジェクト庫６に収納した繰出搬送路２上にあった硬貨を、硬貨繰出部４に移して処理を継続するようにオペレータに通知するとよい。
【００２１】
一方、照合が一致しないときは、金種別金庫７に正しく収納されなかったと判断して、金種別金庫７の硬貨を含めて、再度、計数処理が必要である旨をオペレータに通知し（ステップＳ１２）、本処理を終了する。なお、この通知は、硬貨管理装置や現金自動預払機の主制御部１０の制御により表示器等に表示等すればよい。
【００２２】
なお、以上の実施例の説明では、繰出搬送路２にて搬送エラーが発生したときに、ステップＳ０９にて繰出搬送路２上の硬貨をリジェクト庫に格納するように説明したが、リジェクト庫とは別に一時収納庫を設け、当該一時収納庫に格納するようにし、復旧操作にて、当該一時収納庫内の硬貨を硬貨繰出部４に移すようにしてもよい。
【００２３】
（実施例１の効果）
以上のように実施例１の硬貨処理装置によれば、硬貨繰出部から硬貨を繰出し搬送する繰出搬送路と、当該硬貨の金種を判定する金種判定部と、硬貨を金種ごとに金種別金庫に集積する金種別集積搬送路と、金種判定できない硬貨を格納するリジェクト庫とを有する硬貨処理装置において、前記金種判定の際に繰出搬送路にて搬送エラーが発生したときは、前記金種別集積搬送路上の硬貨はそのまま搬送し金種別に金種別金庫に格納し、前記繰出搬送路上の硬貨はリジェクト庫に格納できるようにしたので、復旧操作はリジェクト庫に収納された硬貨を硬貨繰出部に入れる操作だけとなり、オペレータの操作を簡単にすることができる。
【産業上の利用可能性】
【００２４】
以上述べたように、本発明は、硬貨現金を取り扱う硬貨処理装置を搭載する硬貨管理装置や現金自動預払機等に広く利用することができる。
【符号の説明】
【００２５】
１    硬貨処理装置
２    繰出搬送路（第１の搬送手段）
３    金種別集積搬送路（第２の搬送手段）
４    硬貨繰出部
５    金種判定部
６    リジェクト庫
７    金種別金庫
８    制御部
１０  主制御部
【図１】
0005436068.tif 000002
【図２】
0005436068.tif 000003